(57)【特許請求の範囲】
【請求項１】
インクジェットヘッドの液滴吐出面を洗浄するヘッド洗浄機構であって、
前記液滴吐出面に洗浄液を噴射する噴射手段、ならびに、前記液滴吐出面をワイピングする第１ワイピング手段および第２ワイピング手段を、前記第１ワイピング手段と第２ワイピング手段とで前記噴射手段を挟むように、一方向に配列して有するクリーニングユニットと、
前記噴射手段、第１ワイピング手段および第２ワイピング手段の配列方向に、前記インクジェットヘッドを移動させる移動手段と、
前記噴射手段から第１ワイピング手段に向かう方向の前記第１ワイピング手段の下流に設定された、前記インクジェットヘッドの待避位置とを有し、
さらに、前記移動手段は、前記噴射手段、前記第１ワイピング手段および第２ワイピング手段が、前記第２ワイピング手段、噴射手段、第１ワイピング手段の順序で前記インクジェットヘッドに作用するように、もしくは、前記第１ワイピング手段、噴射手段、第２ワイピング手段の順序で前記インクジェットヘッドに作用するように、前記インクジェットヘッドを移動させることを特徴とするヘッド洗浄機構。
【請求項２】
前記噴射手段は、前記液滴吐出面のノズル以外の場所に前記洗浄液を噴射する請求項１に記載のヘッド洗浄機構。
【請求項３】
前記待避位置に、前記インクジェットヘッドのノズル内のインクの乾燥を防止するための乾燥防止機構が設けられる請求項１または２に記載のヘッド洗浄機構。
【請求項４】
インク液滴を吐出するインクジェットヘッドと、前記インクジェットヘッドと記録媒体とを相対的に移動させる走査手段と、前記請求項１〜３のいずれかに記載のヘッド洗浄機構とを有することを特徴とする画像記録装置。
【発明の詳細な説明】
【技術分野】
【０００１】
本発明は、インクジェットヘッドの液滴吐出面のクリーニングを行なう、インクジェットヘッドの洗浄機構、および、これを利用する画像記録装置に関する。
【背景技術】
【０００２】
プリンタ、複写装置、ファクシミリ等の各種の画像記録装置として、インクジェットによる画像記録が利用されている。
また、デジタルカメラなどのカメラで撮影した画像をプリントとして再現するフォトプリンタにおいても、いわゆる銀塩写真によるプリンタに代えて、インクジェットを利用することが提案されている。
【０００３】
周知の様に、インクジェットによる画像記録は、インク液滴を吐出するノズルが１方向に配列されたインクジェットヘッド（以下、記録ヘッドとする）を用いて、画像を記録するものである。
具体的には、ノズルの配列方向と直交する方向に、記録ヘッドと記録媒体（メディア）とを相対的に移動しつつ、記録する画像に応じて、各ノズルの駆動を変調してインク液滴を吐出することにより、記録媒体に画像を記録する。
【０００４】
インクジェットの記録ヘッドでは、画像記録を行なうにしたがって、記録媒体で弾かれたインク等がインク液滴の吐出面に付着して、吐出面が汚れていく。
このような吐出面の汚れが進行すると、ノズルからのインク液滴の吐出およびインク液滴の飛翔が不適正になり、画質劣化の原因となる。また、甚だしい場合には、ノズルが閉塞されてしまい、このノズルからのインク吐出ができなくなってしまう。
そのため、インクジェットの記録ヘッドにおいては、定期的に、あるいは必要に応じて、吐出面のクリーニング（洗浄）を行なう必要がある。
【０００５】
記録ヘッドの吐出面のクリーニング方法として、スポンジやゴム等で形成されたワイピング部材（ワイピングブレード）を用い、吐出面とワイピング部材とを摺接してワイピング（拭き取る／払い拭き）する、クリーニング方法が知られている。
【０００６】
例えば、特許文献１には、ワイピング部材によるワイピングで吐出面のクリーニングを行なうインクジェットの記録ヘッドにおいて、ワイピングを終了した後に、ワイピング部材に洗浄液を保持させて、その後、ワイピング部材を吸引することで、残存するインクおよび洗浄液を減少させて、ワイピング部材によるインクや異物等の吸引能力を回復させるインクジェットの記録ヘッドが開示されている。
また、特許文献２には、ワイピング部材によるワイピングで吐出面のクリーニングを行なう、記録ヘッドの吐出面清掃装置において、ワイピング部材に洗浄液を塗布する手段と、ワイピング部材に付着するインクおよび洗浄液を吸引する手段を有することにより、ワイピング部材の汚れを防止して、これにより、ワイピング部材によるクリーニング効果を向上することが開示されている。
【０００７】
【特許文献１】特開平６−７９８８０号公報
【特許文献２】特開２００６−２７２５７９号公報
【発明の開示】
【発明が解決しようとする課題】
【０００８】
特許文献１や２に開示される記録ヘッドのクリーニング方法によれば、ワイピング部材を清浄に保つことにより、好適にワイピングを行なって、記録ヘッドの吐出面を清掃することができる。
しかしながら、吐出面に付着しているインクの粘度が高い場合など、やはり、ワイピングだけでは、十分なクリーニングが出来ない場合も有る。
【０００９】
本発明の目的は、前記従来技術の問題点を解決することにあり、吐出面に付着しているインクの粘度が高い場合など、クリーニングが困難な状態であっても、好適にインクジェットヘッドのクリーニングを行なうことができる、インクジェットヘッドの洗浄機構、および、このインクジェットヘッドの洗浄機構を用いるインクジェットの画像記録装置を提供することにある。
【課題を解決するための手段】
【００１０】
上記目的を達成するために、本発明は、インクジェットヘッドの液滴吐出面を洗浄するヘッド洗浄機構であって、前記液滴吐出面に洗浄液を噴射する噴射手段、および、前記液滴吐出面をワイピングする第１ワイピング手段を、一方向に配列して有するクリーニングユニットと、前記噴射手段および第１ワイピング手段との配列方向に、前記クリーニングユニットとインクジェットヘッドとを相対的に移動させる移動手段とを有することを特徴とするヘッド洗浄機構を提供する。
【００１１】
このような本発明のヘッド洗浄機構において、前記クリーニングユニットが、前記第１ワイピング手段と共に前記噴射手段を挟む位置に、前記液滴吐出面をワイピングする第２ワイピング手段を有するのが好ましく、また、前記移動手段は、前記インクジェットヘッドを移動させるものであり、前記噴射手段から第１ワイピング手段に向かう方向の前記第１ワイピング手段の下流に、前記インクジェットヘッドの待避位置が設定されるのが好ましく、さらに、前記噴射手段は、前記液滴吐出面のノズル以外の場所に前記洗浄液を噴射するのが好ましい。
【００１２】
また、本発明の画像記録装置は、インク液滴を吐出するインクジェットヘッドと、前記インクジェットヘッドと記録媒体とを相対的に移動させる走査手段と、前記本発明のヘッド洗浄機構とを有することを特徴とする画像記録装置を提供する。
【発明の効果】
【００１３】
本発明のヘッド洗浄機構は、インクジェットヘッドのインク液滴吐出面を清掃するものであって、液滴吐出面に洗浄液を噴射する噴射手段と、液滴吐出面をワイピング（拭き取り／払い拭き）する第１ワイピング手段とが１方向に配列されたクリーニングユニットを有する。
このような本発明のヘッド洗浄機構において、液滴吐出面を清掃する際には、クリーニングユニットとインクジェットヘッドとを、噴射手段から第１ワイピング手段に向かう方向に相対的に移動して、まず、噴射手段によって液滴吐出面に洗浄液を噴射し、次いで、第１ワイピング手段によって、洗浄液を塗布された液滴吐出面のワイピングを行なう。
好ましくは、さらに、第１ワイピング手段と共に噴射手段を挟むように、第２ワイピング手段を有し、前記クリーニングユニットとインクジェットヘッドとの相対的な移動によって、まず、第２ワイピング手段による液滴吐出面のワイピングを行なった後、噴射手段によって液滴吐出面に洗浄液を噴射し、次いで、第１ワイピング手段によって、洗浄液を塗布された液滴吐出面のワイピングを行なう。
【００１４】
従って、本発明のヘッド洗浄機構によれば、洗浄液による洗浄を行なった後、さらに、ワイピング部材によるワイピングを行なうので、液滴吐出面に付着した洗浄液も除去することができると共に、汚れが落ち易くなった状態でワイピングによる洗浄も行なう結果となるので、非常に効率よく、インクジェットヘッドの清掃を行なうことができる。
そのため、本発明のインクジェットのヘッド洗浄機構によれば、吐出面に付着しているインクの粘度が高い場合など、クリーニングが困難な状態であっても、好適に液滴吐出面を清浄化することができ、また、これを利用する本発明の画像記録装置は、吐出面に付着するインク等に起因する吐出不良を大幅に抑制して、安定したインク液滴の吐出が可能である。
【発明を実施するための最良の形態】
【００１５】
以下、本発明のヘッド清浄機構および画像記録装置について、添付の図面に示す実施形態を基に詳細に説明する。
【００１６】
図１に、本発明のヘッド洗浄機構の一例を利用する、本発明の画像記録装置を概念的に示す。
図１に示す画像記録装置１０（以下、記録装置１０とする）は、記録媒体Ｐにインクジェットによって画像を記録するインクジェットプリンタで、供給部１２、搬送部１４、および、画像記録部１６を有する。
なお、記録装置１０においては、図示した部材以外にも、記録媒体Ｐの搬送ガイドや搬送手段、記録媒体Ｐを検出するための各種のセンサ等、各種の画像記録装置に設けられている公知の部材が、必要に応じて配置されている。
【００１７】
記録装置１０において、供給部１２は、搬送部１４に記録媒体Ｐを供給する部位で、マガジン装填部２４と、その上方のカセット装填部２６とを有する。
マガジン装填部２４は、長尺な記録媒体Ｐをロール状に巻回してなる記録媒体ロール４８を収容するマガジン３８を、所定の位置に装填する部位である。
【００１８】
マガジン３８は、開閉可能な筐体で、フランジ回転ローラ４２および４４と、フィードローラ対４６とを有する。
フランジ回転ローラ４２および４４は、記録媒体Ｐの供給方向（搬送方向）に離間して配置されるローラである。一例として、フランジ回転ローラ４２は図示しない駆動源によって回転される駆動ローラで、フランジ回転ローラ４４は従動ローラである。
【００１９】
また、フィードローラ対４６は、記録媒体Ｐを搬送する搬送ローラ対で、２本のローラは、公知の手段で接離可能に構成される。
図示は省略するが、フィードローラ対４６の一方のローラは、回転軸がマガジン３８の外部に突出して、端部にギアが固定されている。マガジン３８がマガジン装填部２４の所定位置に装填されると、このフィードローラ対４６のギアと、マガジン装填部２４に配置される駆動源に係合するギアとが歯合する。これにより、前記駆動源によってフィードローラ対４６が回転され、記録媒体Ｐをマガジン３８から送り出して搬送部１４に搬送し、あるいは、記録媒体Ｐをマガジン３８に引き込む。
【００２０】
記録媒体ロール４８は、長尺な記録媒体Ｐを円筒状の芯材に巻回してなるものである。
この記録媒体ロール４８の両端面には、フランジ４０が装着される。フランジ４０は、未使用の記録媒体ロール４８より径の大きい円盤状の物で、中心に、記録媒体ロール４８の芯材に嵌入される凸部を有する。
【００２１】
記録媒体ロール４８は、フランジ４０を両端に装着した状態で、フランジ４０の円周部をフランジ回転ローラ４２および４４に載置され、かつ、記録媒体Ｐの先端をフィードローラ対４６に挟持された状態で、マガジン３８に収容される。従って、フランジ回転ローラ４２および４４は、フランジ４０を安定して載置可能な距離だけ、記録媒体Ｐの搬送方向に離間して配置される。
前述のように、フランジ回転ローラ４２は駆動ローラで、また、マガジン３８がマガジン装填部２４に装填されると、フィードローラ対４６は、記録装置１０の駆動源と係合する。従って、記録媒体ロール４８は、フランジ回転ローラ４２の回転によって回転されて記録媒体Ｐを送り出し、また、記録媒体ロール４８から送り出された記録媒体Ｐは、フィードローラ対４６によって、搬送部１４に搬送される。
【００２２】
カセット装填部２６は、カセット２８を所定位置に装填する部位で、装填台３０、およびフィードローラ５２を有する。
カセット２８は、所定のサイズに切断されたカットシート状の記録媒体Ｐを収容する、上面（あるいは、記録媒体Ｐを排出するための開口部のみ）が開放する筐体である。装填台３０は、公知の筐体の載置／保持手段でこのカセット２８を所定の位置に載置して保持する台である。
【００２３】
また、フィードローラ５２は、側面の一部が切り欠かれて平面となっている、いわゆるＤローラ（半月ローラ）である。
このフィードローラ５２は、記録媒体Ｐを収容するカセット２８が装填台３０の所定位置に装填された際に、円周面のみが最も上の記録媒体Ｐにある程度の圧力で当接する位置に配置される。また、カセット２８は、記録媒体Ｐを下方から支持する板材と、この板材を上方に付勢するバネとを用いる機構等の公知の手段で、最も上の記録媒体Ｐが常に所定の高さとなるように構成される。
従って、フィードローラ５２が回転することにより、フィードローラ５２の円周面がカセット２８の最上の記録媒体Ｐに当接して、圧力および摩擦力によって、この記録媒体Ｐをカセット２８から搬送／排出して、搬送部１４の搬送ローラ対７０に供給する。
【００２４】
搬送部１４は、供給部１２（マガジン装填部２４およびカセット装填部２６）から供給された記録媒体Ｐを、画像記録部１６に搬送する部位で、カッタ５４と、裏印字ユニット５６と、幅ガイド５８と、ガイドローラ６２と、８つの搬送ローラ対６４、６６、６８、７０、７２、７４、７６、および、７８とを有する。
ここで、ガイドローラ６２、搬送ローラ対６４、６６および６８、ならびにカッタ５４は、マガジン装填部２４から供給された記録媒体Ｐのみに対応し、搬送ローラ対７０および７２は、カセット装填部２６から供給された記録媒体Ｐのみに対応し、それ以外の、搬送ローラ対７４、７６および７８、裏印字ユニット５６、ならびに幅ガイド５８は、全ての記録媒体Ｐに対応する。
【００２５】
マガジン装填部２４から供給された長尺な記録媒体Ｐは、ガイドローラ６２によって搬送経路を水平方向から鉛直方向に変更されて、搬送ローラ対６４、６６、および６８によって搬送されて、全ての記録媒体Ｐに対応する搬送ローラ対７４に搬送される。
【００２６】
ここで、搬送ローラ対６４および６６の間には、記録媒体Ｐを切断するカッタ５４が配置される。
マガジン３８からの記録媒体Ｐの送り出し、ならびに、搬送ローラ対６４および６６による記録媒体Ｐの搬送は、カッタ５４による切断位置よりも下流に至った記録媒体Ｐの長さがプリントサイズに応じた長さとなった時点で、停止する。次いで、カッタ５４が駆動して記録媒体Ｐを切断し、長尺であった記録媒体Ｐを、プリントサイズに応じたカットシート状の記録媒体Ｐとする。
【００２７】
また、カッタ５４による切断が行なわれる前は、搬送ローラ対６８は、停止しており、図中点線で示すように、搬送ローラ対６６および６８の間において、記録媒体Ｐのループ（撓み）が形成される。
後述するが、記録媒体Ｐは、後に搬送されつつ、裏印字ユニット５６によって裏面にバックプリント（裏印字）を記録される。ここで、前述のように、カッタ５４による切断時には、記録媒体Ｐの搬送を停止する。従って、この時に、記録媒体Ｐの先端がバックプリントに至っていると、パックプリントの記録も停止する必要がある。
これに対し、裏印字ユニット５６よりも上流で、このような記録媒体Ｐのループを形成することにより、カッタ５４による切断に伴うパックプリント記録の停止を不要にすることができ、裏印字ユニット５６で安定して裏印字を行い、さらに、切断による衝撃がパックプリントの記録に影響を及ぼすことを防止できる。また、全ての記録媒体Ｐに対応する搬送経路（搬送ローラ対７４）よりも上流で、記録媒体Ｐのループを形成することにより、カッタ５４による切断のための記録媒体Ｐの搬送停止中に、マガジン装填部２６から搬送ローラ対７４に記録媒体Ｐを供給することが可能となり、高効率なプリント出力が可能となる。
【００２８】
カッタ５４による切断が終了すると、搬送ローラ対６６および６８による搬送が開始され、プリントに応じたサイズに切断されたカットシート状の記録媒体Ｐは、搬送ローラ対７４に搬送される。
【００２９】
他方、フィードローラ５２によってカセット装填部２６（カセット２８）から供給されたカットシート状の記録媒体Ｐは、搬送ローラ対７０および７２によって搬送されて、搬送ローラ対７４に搬送される。
【００３０】
全ての記録媒体Ｐに対応する搬送ローラ対７４に搬送された記録媒体Ｐは、搬送ローラ対７４、７６、および７８によって搬送され、幅ガイド５８に至る。
ここで、搬送ローラ対７４と７６との間には、裏印字ユニット５６が配置される。記録媒体Ｐは、搬送ローラ対７４および７６によって搬送されつつ、裏印字ユニット５６によって、裏面（画像記録面の裏面）にバックプリント（裏印字）を記録される。
裏印字ユニット５６は、例えば、ドットインパクトプリンタやインクジェットプリンタを用いて構成される。また、裏印字情報としては、画像ファイル名や画像補正情報等を例示される。
【００３１】
幅ガイド５８は、画像記録部１６に（副走査ローラ対８０）供給する記録媒体Ｐの幅方向（搬送方向と直交する方向＝主走査方向）の位置を調整するものである。
幅ガイド５８には、特に限定はなく、公知のシート状物の位置調整および位置決め手段が、全て利用可能である。
【００３２】
幅ガイド５８で幅方向の位置決めをされた記録媒体Ｐは、搬送ローラ対７８によって、画像記録部１６に搬送される。
図２に、画像記録部１６の上面図を、図３（Ａ）に同正面図（記録媒体Ｐの搬送方向の上流側から見た図）を、図３（Ｂ）に同側面図（図１と同方向から見た図）を、それぞれ概念的に示す。
画像記録部１６は、インクジェットによって記録媒体Ｐに画像を記録（描画）する部位であって、副走査ローラ対８０と、記録手段８２と、プラテン８４と、ベルトコンベア８６と、クリーニングユニット８８（図１では省略）と、ヘッド待避エリア９０（図１では省略）と、乾燥手段９２と、搬送ローラ対９３とを有して構成される。なお、図３（Ｂ）では、後述するヘッドユニット９４と主走査手段９６との関係を示すために、クリーニングユニット８８およびヘッド待避エリア９０は省略している。
【００３３】
図示例の画像記録部１６は、インクジェットヘッドのノズル列の長さに応じた所定の搬送長で、記録媒体Ｐを断続的に搬送しつつ、搬送停止中に、インクジェットヘッドを搬送方向と直交する方向（以下、主走査方向とする）に移動して、画像記録を行なう、いわゆるシリアルタイプ（シャトルタイプ）のインクジェット記録手段である。
【００３４】
副走査ローラ対８０は、インクジェットによる記録媒体Ｐへの画像記録のために、この断続的な記録媒体Ｐの搬送を行なうもので、通常の搬送ローラ対である。
また、ベルトコンベア８６は、記録媒体Ｐの後端が副走査ローラ対８０から離間した後に、同様の断続的な記録媒体Ｐの搬送を行い、また、画像記録を終了した記録媒体Ｐを、下流に搬送（画像記録部１６から排出）する搬送手段で、同様に、通常のベルトコンベアである。
すなわち、副走査ローラ対８０およびベルトコンベア８６は、シリアルタイプのインクジェットにおける副走査搬送手段である。
【００３５】
プラテン８４は、インクジェットによる画像記録に供される記録媒体Ｐを、所定の記録位置（インクジェットヘッドに対して所定の距離）に保持する、平板状の台である。副走査ローラ対８０は、このプラテン８４に記録媒体Ｐを搬送する。
なお、プラテン８４は、必要に応じて、吸引や静電気等を利用して、副走査ローラ対８０やベルトコンベア８６による搬送力よりも弱い力で記録媒体Ｐをプラテンに保持する、保持手段を有してもよい。
【００３６】
記録手段８２は、インクジェットによる画像記録を行なうもので、ヘッドユニット９４と、主走査手段９６とを有して構成される。
【００３７】
ヘッドユニット９４は、４つのインクジェットヘッド（以下、記録ヘッドとする）を有する、ヘッドアセンブリである。
具体的には、Ｃ（シアン）インクを吐出する記録ヘッド９８Ｃ、Ｍ（マゼンタ）インクを吐出する記録ヘッド９８Ｍ、Ｙ（イエロー）インクを吐出する記録ヘッド９８Ｙ、および、Ｋ（黒）インクを吐出する記録ヘッド９８Ｋを、液滴吐出面（インク液滴を吐出するノズルの形成面）の向きおよびノズル列の方向を一致して、かつ、ノズル列と直交する方向に並べて、ホルダ９９で保持してなるものである。
なお、本発明において、ヘッドユニット９４および記録ヘッド９８Ｃ〜９８Ｋは、いずれも公知のものであり、ピエゾ素子（圧電素子）による振動を利用するピエゾ方式、発熱体によってインクに生じる気泡の圧力を利用するサーマル方式、インク液滴に与えた電荷を利用する静電方式等、公知のインクジェットの記録ヘッドが全て利用可能である。
【００３８】
主走査手段９６は、ヘッドユニット９４（すなわち記録ヘッド）を主走査方向に往復搬送（主走査）するものである。
図示例において、主走査手段９６は、ネジ伝動によってヘッドユニット９４を搬送するものであり、ドライブシャフト１００およびガイドシャフト１０２と、回転駆動源１０４とを有する。
【００３９】
ドライブシャフト１００は、いわゆる送りネジ（ネジ軸／親ネジ）であり、主走査方向に延在して配置され、回転駆動源１０４によって回転される。ガイドシャフト１０２は、ドライブシャフト１００と同様、主走査方向に延在して配置される長尺な円柱状のガイド部材である。
【００４０】
ヘッドユニット９４は、記録ヘッド９８Ｃ、記録ヘッド９８Ｍ、記録ヘッド９８Ｙ、および、記録ヘッド９８Ｋのノズル列を記録媒体Ｐの搬送方向（副走査方向）に一致し、かつ、各記録ヘッドの液滴吐出面をプラテン８４に向けて、ホルダ９９にドラブシャフト１００およびガイドシャフト１０２を挿通して、両シャフトに保持される。また、ホルダ９９のドライブシャフト１００の挿通部は、ネジ（ナット）となっており、このネジはドライブシャフト１００に螺合する。
従って、回転駆動源１０４がドライブシャフト１００を回転することにより、ヘッドユニット９４（４つの記録ヘッド）は、記録ヘッドのノズル列と直交する主走査方向に搬送される。
【００４１】
前述のように、記録装置１０は、シリアルタイプのインクジェットプリンタであるので、画像記録部１６においては、記録媒体Ｐの搬送を停止した際に、走査手段８２によってヘッドユニット９４を主走査方向に搬送（主走査を行い）し、この際に、記録する画像に応じて各ヘッドのノズルからインク液滴を吐出して画像を記録し、１回の主走査が終了したら、記録媒体Ｐを所定量搬送して、再度、ヘッドユニット９４を主走査方向に搬送して画像を記録することを繰り返して、記録媒体Ｐの全面に画像を記録する。
【００４２】
ここで、図示例の記録装置１０においては、ドライブシャフト１００およびガイドシャフト１０２は、（画像）記録エリアを超えて、後述するクリーニングユニット８８およびヘッド待避エリア９０を超える領域まで延在している。
後述するが、主走査手段９６は、クリーニングユニット８８およびヘッド待避エリア９０までヘッドユニット９４（インクジェットの記録ヘッド）を搬送するものであり、本発明のヘッド洗浄機構におけるクリーニングユニットとインクジェットヘッドとの相対的な移動手段を兼ねている。
【００４３】
なお、記録装置１０においては、前述の画像記録の際には、ヘッドユニット９４をクリーニングユニット８８の位置まで搬送することはなく、画像記録のためのヘッドユニット９４の搬送（主走査）は、クリーニングユニット８８（後述する第２ワイピング手段１１４）の手前までとなる。
【００４４】
本発明を利用する画像記録装置において、ヘッドユニット９４の搬送方法（主走査方法）は、図示例のようなネジ伝動に限定されず、例えば、ベルトやプーリを用いる方法、静電力を利用した方法など、シリアルスキャン方式のインクジェットプリンタで用いられる方法を利用することができる。
【００４５】
画像記録部１６において、主走査方向のプラテン８４の外側、すなわち記録エリアの主走査方向の外側には、クリーニングユニット８８が配置される。さらに、クリーニングユニット８８の外側には、ヘッド待避エリア９０が設けられる。
図示例においては、図２（図中下方）および図３（Ａ）（図中左側）に示される位置に、クリーニングユニット８８が配置される（図１および図３（Ｂ）では、紙面に垂直方向の手前側となる）。
【００４６】
クリーニングユニット８８は、記録ヘッド９８Ｃ、記録ヘッド９８Ｍ、記録ヘッド９８Ｙ、および、記録ヘッド９８Ｋのインク液滴吐出面（以下、吐出面とする）をクリーニング（洗浄）するものであり、第１ワイピング手段１１０および噴射手段１１２を有して構成される。また、図示例においては、好ましい態様として、第１ワイピング手段１１０と共に噴射手段を挟んで、第２ワイピング手段１１４を有する。
【００４７】
第１ワイピング手段１１０および第２ワイピング手段１１４は、記録ヘッドの吐出面に摺接してワイピング（拭き取り／払い拭き）を行なうワイピング部材である。
図示例において、第１ワイピング手段１１０および第２ワイピング手段１１４は、主走査手段９６によるヘッドユニット９４の搬送経路に応じて、主走査手段９６がヘッドユニット９４をクリーニングユニット８８を通過させた際に、記録ヘッド９８Ｃ、記録ヘッド９８Ｍ、記録ヘッド９８Ｙ、および、記録ヘッド９８Ｋの吐出面に当接する位置に配置される。
【００４８】
なお、本発明において、第１ワイピング手段１１０および第２ワイピング手段１１４は、共に、基本的に、公知のインクジェットプリンタに用いられている、吐出面を洗浄するためのワイピング手段と同様のものである。
従って、第１ワイピング手段１１０および第２ワイピング手段１１４は、ゴム製のワイピング部材や、各種の樹脂材料で形成されたワイピング部材等、インクジェットヘッドの液滴吐出面のクリーニングに利用されているワイピング部材（ワイピングブレード／ワイプ部材）が、全て利用可能である。また、第１ワイピング手段１１０および第２ワイピング手段１１４は、多孔質でも非多孔質でもよい。
【００４９】
噴射手段１１２は、噴射ノズル１１２ａから記録ヘッドの吐出面に洗浄液を噴射するものであり、ワイピング手段と同様、主走査手段９６によるヘッドユニット９４の搬送経路に応じて、吐出面に塗布可能な位置に配置される。
本発明において、噴射手段１１２は、公知の液体の噴射手段を利用すればよい。また、洗浄液にも特に限定はなく、水、インクに用いられる溶媒や分散媒等や、メンテナンスの際にヘッドのクリーニングに用いられる洗浄液を利用すればよい。あるいは、ワイピング部材のクリーニングに用いられる洗浄液も利用可能である。
【００５０】
ここで、噴射手段１１２は、吐出面のノズル以外の領域に、洗浄液を噴射するのが好ましい。このような構成とすることにより、洗浄液が記録ヘッドのノズル内に入ってしまうことを抑止して、クリーニング後の画像記録に、洗浄液が悪影響を与えてしまうことを、好適に防止することができる。
【００５１】
また、噴射手段１１２において、吐出面に洗浄液を噴射する噴射ノズル１１２ａは、１個に限定はされず、ノズル列方向の吐出面の長さに応じて、副走査方向に複数の噴射ノズル１１２ａ（あるいは、噴射手段１１２自身）を配列してもよい。すなわち、図示例であれば、副走査方向に、複数の噴射ノズル１１２ａを配列してもよい。さらに、主走査方向に、複数の噴射ノズル１１２ａ（同前）を配列してもよい。
さらに、噴射手段１１２からの洗浄液の噴射は、ヘッドユニット９４が上部を通過している際に連続的に行なうのに限定はされない。例えば、前述のように、吐出面のノズル以外の領域に洗浄液を噴射することを防止するために、ノズル列の通過に合わせて洗浄液の噴射を中断する等、断続的に、洗浄液を噴射するものであってもよい。
【００５２】
図２や図３に示されるように、クリーニングユニット８８においては、プラテン８４側すなわち画像記録側から、第２ワイピング手段１１４、噴射手段１１２、第１ワイピング手段１１０の順で配置される。
図示例の画像記録部１６において、吐出面のクリーニングを行なう際には、主走査手段８２は、プラテン８４からヘッド待避エリア９０に向かう方向にヘッドユニット９４を搬送する。すなわち、クリーニング時には、主走査手段８２は、噴射手段１１２から第１ワイピング手段１１０に向かう方向にヘッドユニット９４を搬送する。
【００５３】
従って、記録ヘッドの吐出面のクリーニングを行なう際には、まず、第２ワイピング手段１１４が吐出面をワイピングしてクリーニングを行い、次いで、噴射手段１１２が洗浄液を噴射して吐出面をクリーニングし、さらに、第１ワイピング手段１１０が吐出面をワイピングして、クリーニングと共に、噴射手段１１２が噴射して吐出面に付着した洗浄液を除去する。
【００５４】
以上の説明より明らかなように、本発明のヘッド洗浄機構によれば、まず、記録ヘッドの吐出面に洗浄液を噴射してクリーニングを行ない、次いで、第１ワイピング手段１１０によって吐出面をワイピングをすることによって、吐出面を再度クリーニングすると共に、吐出面に付着した洗浄液を除去する。
従って、本発明によれば、洗浄液によるクリーニングを行なった後、さらに、ワイピングによるクリーニングを行なうので、液滴吐出面に付着した洗浄液も除去することができると共に、洗浄液によって汚れが落ち易くなった状態でワイピングによるクリーニングも行なう結果となるので、粘度の高いインク等も好適に除去して、非常に効率よく、インクジェットヘッドのクリーニングを行なうことができる。また、洗浄液の噴射の後に、ワイピングを行なって洗浄液を除去するので、吐出面に洗浄液が残存することに起因する悪影響も無くすことができる。
さらに、好ましくは、図示例のように、第１ワイピング手段１１０と共に噴射手段１１２を挟んで第２ワイピング手段１１４を有することにより、洗浄液によるクリーニングに先立って、ワイピングによる吐出面のクリーニングを行なうので、より好適な吐出面の洗浄を行なうことが可能となる。
また、このような本発明のヘッド洗浄機構を利用する本発明の記録装置１０は、記録ヘッドの吐出面の汚れに起因するインク液滴の吐出不良を大幅に抑制することができ、適正なインク液滴の吐出を安定し行って、適正な画像を安定して作成できる。
【００５５】
前述のように、クリーニングユニット８８のさらに外側（記録エリアから見て外側）には、ヘッド待避エリア９０が設けられる。
ヘッド待避エリア９０は、記録装置１０の非稼働時や、所定時間以上、画像記録の指示が無かった場合等に、ヘッドユニット９４が待避する位置であり、ノズル内のインクが乾燥して詰まってしまうことを防止するための、乾燥防止機構９０ａが設けられる。
なお、乾燥防止機構９０ａは、ノズルを含む領域で吐出面を閉塞するキャッピング機構等、インクジェットプリンタに設けられている、公知の乾燥防止機構を利用すればよい。
【００５６】
記録装置１０においては、ヘッドユニット９４をヘッド待避エリア９０に移動する際には、前述のクリーニングユニット８８による吐出面の洗浄を行なうのが、好ましい。
ここで、図示例のクリーニングユニット８８のように、第１ワイピング手段１１０と共に噴射手段１１２を挟む第２ワイピング手段１１４を有する場合には、ヘッド待避エリア９０からヘッドユニット９４を排出して、記録エリアに搬送する際に、クリーニングユニット８８によって吐出面のクリーニングを行なうようにしてもよい。
但し、第２ワイピング手段１１４を有さない場合には、噴射手段１１２から第１ワイピング手段１１０に向かう方向にヘッドユニット９４を搬送（ヘッドユニット９４とクリーニングユニットとの相対的な搬送）する際のみに、吐出面の洗浄を行なう。
【００５７】
本発明のヘッド洗浄機構を利用する記録装置１０において、記録ヘッドの吐出面のクリーニングを行なうタイミングには、特に限定はない。
一例として、記録装置１０の電源がｏｆｆになった際、所定時間以上経過しても画像記録の指示が無かった場合、画像記録の後に画像記録指示が無い場合、適宜設定されたクリーニング実行指示手段によるクリーニングの指示が行なわれた場合、これらのタイミングの併用等が例示される。また、記録装置１０は、吐出面のクリーニングのタイミングを選択する選択手段を有してもよい。
【００５８】
ベルトコンベア８６は、画像記録中は、副走査手段として、断続的に記録媒体Ｐの搬送を行なうが、画像記録を終了すると、連続的に記録媒体Ｐの搬送を行なう。
また、画像を記録された記録媒体Ｐは、乾燥手段９２によって、着弾したインクを乾燥される。なお、乾燥手段による乾燥方法には、特に限定はなく、ファンによる乾燥、ヒータによる乾燥、ファンとヒータの併用等、公知の手段によればよい。
【００５９】
ベルトコンベア８６によって搬送され、インクを乾燥された記録媒体Ｐは、次いで、搬送ローラ対９３によって搬送され、プリントとしてトレイ１１８に排出される。
【００６０】
以上の例は、本発明の記録ヘッドのヘッド洗浄機構を、シリアルタイプのインクジェットプリンタに利用した例であるが、本発明は、これに限定はされない。
例えば、本発明のヘッド洗浄機構は、記録媒体Ｐの一方向の長さを超えるノズル列を有する、いわゆるラインヘッドを用い、ラインヘッドのノズル列方向と直交する方向に記録媒体Ｐを搬送して（あるいは、記録媒体を停止してヘッドを移動して）、インクジェットによる画像記録を行なう、インクジェットプリンタにも、好適に利用可能である。
【００６１】
また、図示例の記録装置１０は、記録ヘッド（ヘッドユニット９４）を搬送することにより、記録ヘッドとクリーニングユニットとの相対的な移動を行なうものであるが、本発明は、これに限定はされず、クリーニングユニットを移動することで、記録ヘッドとクリーニングユニットとの相対的な移動を行なってもよい。
記録ヘッドとクリーニングユニットとの相対的な移動方向は、記録ヘッドのノズル列と直交する方向にも、限定はされず、記録ヘッドのノズル列方向に、両者の相対的な移動を行なうようにしてもよい。
さらに、本発明のヘッド洗浄機構を、図示例の記録装置１０のようなシリアルタイプのインクジェットプリンタに利用する際には、記録ヘッドの走査手段を、記録ヘッドとクリーニングユニットとの相対的な移動手段として利用するのにも限定はされず、別途、両者の相対的な移動手段を設けてもよい。
【００６２】
以上、本発明のインクジェットのヘッド洗浄機構および画像記録装置について詳細に説明したが、本発明は上記実施形態に限定はされず、本発明の要旨を逸脱しない範囲において、各種の改良や変更を行ってもよいのは、もちろんのことである。
【図面の簡単な説明】
【００６３】
【図１】本発明のヘッド洗浄機構を利用する本発明の画像記録装置の一例を概念的に示す図である。
【図２】図１に示す画像記録装置の画像記録部の概念的な平面図である。
【図３】（Ａ）は、図１に示す画像記録装置の画像記録部の概念的な正面図であり、（Ｂ）は、同側面図である。
【符号の説明】
【００６４】
１０  （画像）記録装置
１２  供給部
１４  搬送部
１６  画像記録部
２４  マガジン装填部
２６  カセット装填部
２８  カセット
３０  載置台
３８  マガジン
４０  フランジ
４６  フィードローラ対
４８  ロール状記録媒体
５０  記録シート
５２  給紙ローラ
５４  カッタ
５６  裏印字ユニット
５８  幅ガイド
６０  ターンローラ
６４、６６、６８、７０、７２、７４、７６、７８、８０、９３  搬送ローラ対
８２  記録手段
８４  プラテン
８６  ベルトコンベア
８８  クリーニングユニット
９０  ヘッド待避エリア
９２  乾燥手段
９４  ヘッドユニット
９６  主走査手段
９８Ｃ，９８Ｍ，９８Ｙ，９８Ｋ  記録ヘッド
９９  ホルダ
１００  ドライブシャフト
１０２  ガイドシャフト
１０４  回転駆動源
１１０  第１ワイピング手段
１１２  噴射手段
１１４  第２ワイピング手段
１１８  トレイ
１０６  ホルダ
【図１】
0004964812.tif 000002
【図２】
0004964812.tif 000003
【図３】
0004964812.tif 000004